(57)【要約】【課題】暗い場所においても容易に使用することができる電気掃除機を提供すること。【解決手段】電気掃除機１は、電動送風機１１を有する電気掃除機本体１０と、電気掃除機本体１０に接続された筒状の吸引管２０と、電気掃除機本体１０に設けられた発光素子３０と、を有する。発光素子３０は、発光素子３０の光軸Ｌにおける出射光が、平面視で吸引管２０に沿う向きであって、側面視で吸引管２０から遠ざかる向きに設けられている。【選択図】図１
2015097665.tif 000002
【特許請求の範囲】
【請求項１】
電動送風機を有する電気掃除機本体と、
前記電気掃除機本体に接続された筒状の吸引管と、
前記電気掃除機本体に設けられた発光素子と、
を有し、
前記発光素子は、前記発光素子の光軸における出射光が、平面視で前記吸引管に沿う向きであって、側面視で前記吸引管から遠ざかる向きに設けられている、電気掃除機。
【請求項２】
請求項１に記載の電気掃除機において、
前記発光素子は、前記発光素子の光軸と前記吸引管とのなす角が、前記発光素子の１／２照射角であるように設けられている、電気掃除機。
【請求項３】
請求項１に記載の電気掃除機において、
前記吸引管と連通する吸込ヘッドをさらに有し、
前記発光素子は、前記吸引管と床面とのなす角が４５度である場合に、前記発光素子の光軸における出射光が、平面視で前記吸引管に沿う向きであって、側面視で前記発光素子と前記吸込ヘッドの前端部とを結ぶ仮想線から遠ざかる向きに設けられている、電気掃除機。
【請求項４】
請求項３に記載の電気掃除機において、
前記発光素子は、前記吸引管と床面とのなす角が４５度である場合に、前記発光素子と前記吸込ヘッドの前端部とを結ぶ仮想線と前記発光素子の光軸とのなす角が、前記発光素子の１／２照射角であるように設けられている、電気掃除機。
【請求項５】
請求項１に記載の電気掃除機において、
前記吸引管と連通する筒状の延長管と、
前記延長管を介して前記吸引管と連通する吸込ヘッドと、
をさらに有し、
前記発光素子は、前記吸引管と床面とのなす角が４５度である場合に、前記発光素子の光軸における出射光が、平面視で前記吸引管に沿う向きであって、側面視で前記発光素子と前記吸込ヘッドの前端部とを結ぶ仮想線から遠ざかる向きに設けられている、電気掃除機。
【請求項６】
請求項５に記載の電気掃除機において、
前記発光素子は、前記吸引管と床面とのなす角が４５度である場合に、前記発光素子と前記吸込ヘッドの前端部とを結ぶ仮想線と前記発光素子の光軸とのなす角が、前記発光素子の１／２照射角であるように設けられている、電気掃除機。
【請求項７】
請求項１ないし６のいずれか１項に記載の電気掃除機において、
前記発光素子は、発光ダイオードである、電気掃除機。
【発明の詳細な説明】
【技術分野】
【０００１】
本発明は、電気掃除機に関する。
【背景技術】
【０００２】
電気掃除機本体の吸込口近傍に、光束を前方に向けたランプを設け、吸込口の前方を照明する電気掃除機が知られている（例えば、特許文献１）。このような電気掃除機によれば、床面を照明しながら塵埃を除去できるので、暗い場所においても容易に使用することができる。
【先行技術文献】
【特許文献】
【０００３】
【特許文献１】実開昭６３−７１８５６号公報
【発明の概要】
【発明が解決しようとする課題】
【０００４】
特許文献１において、ランプとして、例えば、発光ダイオード（Light Emitting Diode；ＬＥＤ）のような指向性の高い発光素子や、レンズ効果を用いて指向性を高めた発光素子（例えば、砲弾型の光透過性樹脂で発光源が覆われている発光素子）を用いる場合には、明るく照らされる範囲が限られるので、取り付け方に格別の配慮が必要である。
【０００５】
本発明は、以上のような技術的課題に鑑みてなされたものである。本発明のいくつかの態様によれば、暗い場所においても容易に使用することができる電気掃除機を提供することができる。
【課題を解決するための手段】
【０００６】
［適用例１］
本適用例に係る電気掃除機は、
電動送風機を有する電気掃除機本体と、
前記電気掃除機本体に接続された筒状の吸引管と、
前記電気掃除機本体に設けられた発光素子と、
を有し、
前記発光素子は、前記発光素子の光軸における出射光が、平面視で前記吸引管に沿う向きであって、側面視で前記吸引管から遠ざかる向きに設けられている、電気掃除機である。
【０００７】
本適用例によれば、発光素子の光軸における出射光が、平面視で吸引管に沿う向きであって、側面視で吸引管から遠ざかる向きに設けられているので、発光素子からの出射光が吸引管に邪魔されにくい。したがって、指向性の高い発光素子を用いたとしても、暗い場所においても容易に使用することができる電気掃除機を提供することができる。
【０００８】
［適用例２］
上述の電気掃除機において、
前記発光素子は、前記発光素子の光軸と前記吸引管とのなす角が、前記発光素子の１／２照射角であるように設けられていることが好ましい。
【０００９】
本適用例によれば、発光素子の光軸と吸引管とのなす角が、発光素子の１／２照射角であるので、発光素子が明るく照らせる範囲において、出射光が吸引管に邪魔されにくい。
したがって、指向性の高い発光素子を用いたとしても、暗い場所においても容易に使用することができる電気掃除機を提供することができる。
【００１０】
［適用例３］
上述の電気掃除機において、
前記吸引管と連通する吸込ヘッドをさらに有し、
前記発光素子は、前記吸引管と床面とのなす角が４５度である場合に、前記発光素子の光軸における出射光が、平面視で前記吸引管に沿う向きであって、側面視で前記発光素子と前記吸込ヘッドの前端部とを結ぶ仮想線から遠ざかる向きに設けられていることが好ましい。
【００１１】
本適用例によれば、電気掃除機の標準的な使用状態である吸引管と床面とのなす角が４５度である場合に、発光素子の光軸における出射光が、平面視で吸引管に沿う向きであって、側面視で発光素子と吸込ヘッドの前端部とを結ぶ仮想線から遠ざかる向きに設けられているので、発光素子からの出射光が吸引管及び吸込ヘッドに邪魔されにくい。したがって、指向性の高い発光素子を用いたとしても、暗い場所においても容易に使用することができる電気掃除機を提供することができる。
【００１２】
［適用例４］
上述の電気掃除機において、
前記発光素子は、前記吸引管と床面とのなす角が４５度である場合に、前記発光素子と前記吸込ヘッドの前端部とを結ぶ仮想線と前記発光素子の光軸とのなす角が、前記発光素子の１／２照射角であるように設けられていることが好ましい。
【００１３】
本適用例によれば、電気掃除機の標準的な使用状態である吸引管と床面とのなす角が４５度である場合に、発光素子と吸込ヘッドの前端部とを結ぶ仮想線と発光素子の光軸とのなす角が、発光素子の１／２照射角であるので、発光素子が明るく照らせる範囲において、出射光が吸引管及び吸込ヘッドに邪魔されにくい。したがって、指向性の高い発光素子を用いたとしても、暗い場所においても容易に使用することができる電気掃除機を提供することができる。
【００１４】
［適用例５］
上述の電気掃除機において、
前記吸引管と連通する筒状の延長管と、
前記延長管を介して前記吸引管と連通する吸込ヘッドと、
をさらに有し、
前記発光素子は、前記吸引管と床面とのなす角が４５度である場合に、前記発光素子の光軸における出射光が、平面視で前記吸引管に沿う向きであって、側面視で前記発光素子と前記吸込ヘッドの前端部とを結ぶ仮想線から遠ざかる向きに設けられていることが好ましい。
【００１５】
本適用例によれば、電気掃除機の標準的な使用状態である吸引管と床面とのなす角が４５度である場合に、発光素子の光軸における出射光が、平面視で吸引管に沿う向きであって、側面視で発光素子と吸込ヘッドの前端部とを結ぶ仮想線から遠ざかる向きに設けられているので、発光素子からの出射光が吸引管及び吸込ヘッドに邪魔されにくい。したがって、指向性の高い発光素子を用いたとしても、暗い場所においても容易に使用することができる電気掃除機を提供することができる。
【００１６】
［適用例６］
上述の電気掃除機において、
前記発光素子は、前記吸引管と床面とのなす角が４５度である場合に、前記発光素子と前記吸込ヘッドの前端部とを結ぶ仮想線と前記発光素子の光軸とのなす角が、前記発光素子の１／２照射角であるように設けられていることが好ましい。
【００１７】
本適用例によれば、電気掃除機の標準的な使用状態である吸引管と床面とのなす角が４５度である場合に、発光素子と吸込ヘッドの前端部とを結ぶ仮想線と発光素子の光軸とのなす角が、発光素子の１／２照射角であるので、発光素子が明るく照らせる範囲において、出射光が吸引管及び吸込ヘッドに邪魔されにくい。したがって、指向性の高い発光素子を用いたとしても、暗い場所においても容易に使用することができる電気掃除機を提供することができる。
【００１８】
［適用例７］
上述の電気掃除機において、
前記発光素子は、発光ダイオードであることが好ましい。
【００１９】
本適用例によれば、発光素子として指向性の高い発光ダイオードを用いたとしても、暗い場所においても容易に使用することができる電気掃除機を提供することができる。
【図面の簡単な説明】
【００２０】
【図１】第１実施形態に係る電気掃除機１の構造を模式的に示す縦断面図である。
【図２】第２実施形態に係る電気掃除機１ａの構造を模式的に示す側面図である。
【図３】第３実施形態に係る電気掃除機１ｂの構造を模式的に示す側面図である。
【図４】第４実施形態に係る電気掃除機１ｃの構造を模式的に示す側面図である。
【発明を実施するための形態】
【００２１】
以下、本発明の好適な実施形態について図面を用いて詳細に説明する。用いる図面は説明の便宜上のものである。なお、以下に説明する実施形態は、特許請求の範囲に記載された本発明の内容を不当に限定するものではない。また以下で説明される構成の全てが本発明の必須構成要件であるとは限らない。
【００２２】
１．第１実施形態
図１は、第１実施形態に係る電気掃除機１の構造を模式的に示す縦断面図である。
【００２３】
本実施形態に係る電気掃除機１は、電動送風機１１を有する電気掃除機本体１０と、電気掃除機本体１０に接続された筒状の吸引管２０と、電気掃除機本体１０に設けられた発光素子３０と、を有し、発光素子３０は、発光素子３０の光軸Ｌにおける出射光が、平面視で吸引管２０に沿う向きであって、側面視で吸引管２０から遠ざかる向きに設けられている。
【００２４】
図１に示される例では、電気掃除機本体１０は、電動送風機１１と、フィルター１２と、集塵室１３、バッテリー１４と、操作部１５と、把持部１６と、を含んで構成されている。
【００２５】
電動送風機１１は、バッテリー１４を電源として駆動され、フィルター１２を介して集塵室１３の内部の空気を吸気及び排出する。なお、電気掃除機１は、バッテリー１４を有さず、又は、バッテリー１４に加えて、家庭用電源などの外部電源から給電される構成であってもよい。
【００２６】
フィルター１２は、電動送風機１１によって吸気される空気中に含まれる塵埃を捕捉する。フィルター１２としては、織布、不織布、紙など、種々の公知の材料で構成されたフ
ィルターを採用できる。
【００２７】
集塵室１３は、フィルター１２で捕捉された塵埃を貯蔵する。集塵室１３は、電気掃除機本体１０から取り外し可能に構成されていてもよい。
【００２８】
操作部１５は、スイッチやボタンなどで構成され、例えば、電動送風機１１の電源のＯＮとＯＦＦ及び吸引力の強弱の切り替えなどの操作が可能となるように構成されている。
【００２９】
把持部１６は、使用者が電気掃除機本体１０を把持するための構成である。
【００３０】
吸引管２０は、筒状に構成され、電気掃除機本体１０に接続されている。図１に示される例では、吸引管２０は、集塵室１３と連通するように構成されている。また、図１に示される例では、吸引管２０は、略直管で構成されている。吸引管２０は、電気掃除機本体１０と一体として構成されていてもよいし、電気掃除機本体１０とは異なる部材で構成されていてもよい。
【００３１】
発光素子３０は、電気掃除機本体１０に設けられている。図１に示される例では、発光素子３０は、電気掃除機本体１０と吸引管２０との接続部分近傍に設けられている。発光素子３０としては、例えば、発光ダイオード（Light Emitting Diode；ＬＥＤ）、ＥＬ（Electroluminescence）素子、電球など、種々の公知の発光素子を採用できる。本実施形態においては、発光素子３０は、砲弾型の発光ダイオードで構成されている。
【００３２】
発光素子３０は、発光素子３０の光軸Ｌ（図１における二点鎖線）における出射光が、平面視（図１の上方から見た場合）で吸引管２０に沿う向きであって、側面視（図１の正面から見た場合）で吸引管２０から遠ざかる向きに設けられている。
【００３３】
本実施形態によれば、発光素子３０の光軸Ｌにおける出射光が、平面視で吸引管２０に沿う向きであって、側面視で吸引管２０から遠ざかる向きに設けられているので、発光素子３０からの出射光が吸引管２０に邪魔されにくい。したがって、指向性の高い発光素子３０を用いたとしても、暗い場所においても容易に使用することができる電気掃除機１を提供することができる。
【００３４】
本実施形態においては、発光素子３０は、発光素子３０の光軸Ｌと吸引管２０とのなす角θが、発光素子３０の１／２照射角（１／２ビーム角；半減角；50% Power Angle）であるように設けられている。図１に示される例では、発光素子３０は、発光素子３０の光軸Ｌと吸引管２０の外側面Ｔ（図１における一点鎖線）とのなす角θが、発光素子３０の１／２照射角であるように設けられている。例えば、発光素子３０の１／２照射角が１５度である場合には、なす角θを１５度とすることが好ましい。
【００３５】
本実施形態によれば、発光素子３０の光軸Ｌと吸引管２０とのなす角θが、発光素子３０の１／２照射角であるので、発光素子３０が明るく照らせる範囲において、出射光が吸引管２０に邪魔されにくい。したがって、指向性の高い発光素子３０を用いたとしても、暗い場所においても容易に使用することができる電気掃除機１を提供することができる。
【００３６】
本実施形態に係る電気掃除機１において、発光素子３０は、発光ダイオードである。本実施形態によれば、発光素子３０として指向性の高い発光ダイオードを用いたとしても、暗い場所においても容易に使用することができる電気掃除機１を提供することができる。
【００３７】
２．第２実施形態
図２は、第２実施形態に係る電気掃除機１ａの構造を模式的に示す側面図である。なお
、第１実施形態と同様の構成には同一の符号を付し、詳細な説明を省略する。
【００３８】
本実施形態に係る電気掃除機１ａは、吸引管２０と連通するように接続された筒状のノズル４０をさらに有している。図２に示される例では、ノズル４０は、全体としては略直管状に構成され、先端部分（吸引管２０と接続される部分とは反対側の部分）が狭窄されている。電気掃除機１ａは、ノズル４０を有することによって、吸引力を高めることができる。
【００３９】
本実施形態に係る電気掃除機１ａにおいても、第１実施形態に係る電気掃除機１と同様に理由によって同様の効果を奏する。
【００４０】
３．第３実施形態
図３は、第３実施形態に係る電気掃除機１ｂの構造を模式的に示す側面図である。なお、第１実施形態と同様の構成には同一の符号を付し、詳細な説明を省略する。
【００４１】
本実施形態に係る電気掃除機１ｂは、吸引管２０と連通する吸込ヘッド５０をさらに有し、発光素子３０は、吸引管２０と床面Ｇとのなす角αが４５度である場合に、発光素子３０の光軸Ｌにおける出射光が、平面視で吸引管２０に沿う向きであって、側面視で発光素子３０と吸込ヘッド５０の前端部５１とを結ぶ仮想線Ｖから遠ざかる向きに設けられている。
【００４２】
図３に示される例では、吸込ヘッド５０は、筒状の接続管５２を有し、接続管５２を介して吸引管２０と連通するように、吸引管２０と接続されている。吸込ヘッド５０は、電気掃除機本体１０から取り外し可能に構成されていてもよい。
【００４３】
図３に示される例では、吸引管２０の外側面の延長線（図３における一点破線）と床面Ｇとのなす角αが４５度となっている。ここで、なす角αの大きさは、電気掃除機１ｂの標準的な使用状態として想定されている大きさである。
【００４４】
発光素子３０と吸込ヘッド５０の前端部５１とを結ぶ仮想線Ｖ（図３における一点鎖線）は、例えば、発光素子３０の発光部分を通り、吸込ヘッド５０の前端部５１と接する直線である。
【００４５】
本実施形態によれば、電気掃除機１ｂの標準的な使用状態である吸引管２０と床面Ｇとのなす角αが４５度である場合に、発光素子３０の光軸Ｌにおける出射光が、平面視で吸引管２０に沿う向きであって、側面視で発光素子３０と吸込ヘッド５０の前端部５１とを結ぶ仮想線Ｖから遠ざかる向きに設けられているので、発光素子３０からの出射光が吸引管２０及び吸込ヘッド５０に邪魔されにくい。したがって、指向性の高い発光素子３０を用いたとしても、暗い場所においても容易に使用することができる電気掃除機１ｂを提供することができる。
【００４６】
本実施形態においては、発光素子３０は、吸引管２０と床面Ｇとのなす角αが４５度である場合に、発光素子３０と吸込ヘッド５０の前端部５１とを結ぶ仮想線Ｖと発光素子３０の光軸Ｌとのなす角θが、発光素子３０の１／２照射角であるように設けられている。例えば、発光素子３０の１／２照射角が１５度である場合には、なす角θを１５度とすることが好ましい。
【００４７】
本実施形態によれば、電気掃除機１ｂの標準的な使用状態である吸引管２０と床面Ｇとのなす角αが４５度である場合に、発光素子３０と吸込ヘッド５０の前端部５１とを結ぶ仮想線Ｖと発光素子３０の光軸Ｌとのなす角θが、発光素子３０の１／２照射角であるの
で、発光素子３０が明るく照らせる範囲において、出射光が吸引管２０及び吸込ヘッド５０に邪魔されにくい。したがって、指向性の高い発光素子３０を用いたとしても、暗い場所においても容易に使用することができる電気掃除機１ｂを提供することができる。
【００４８】
また、本実施形態においては、発光素子３０が電気掃除機本体１０に設けられているので、発光素子３０を吸込ヘッド５０に設ける場合に比べて配線が容易であるので、簡易な構成で実現できる。特に、吸込ヘッド５０が電気掃除機本体１０から取り外し可能に構成されている場合には、両者における配線の容易さの差は顕著である。
【００４９】
また、本実施形態においては、発光素子３０が電気掃除機本体１０に設けられているので、発光素子３０を吸込ヘッド５０に設ける場合に比べて、発光素子３０から床面Ｇまでの距離が大きくなるので、発光素子３０からの出射光の広がり範囲が大きくなる。したがって、少ない数の発光素子３０で広い範囲を照明することができる。
【００５０】
また、本実施形態においても、第１実施形態に係る電気掃除機１に関する説明と同様の理由によって、同様の効果を奏する。
【００５１】
４．第４実施形態
図４は、第４実施形態に係る電気掃除機１ｃの構造を模式的に示す側面図である。なお、第３実施形態と同様の構成には同一の符号を付し、詳細な説明を省略する。
【００５２】
本実施形態に係る電気掃除機１ｃは、吸引管２０と連通する筒状の延長管６０と、延長管６０を介して吸引管２０と連通する吸込ヘッド５０と、をさらに有し、発光素子３０は、吸引管２０と床面Ｇとのなす角αが４５度である場合に、発光素子３０の光軸Ｌにおける出射光が、平面視で吸引管２０に沿う向きであって、側面視で発光素子３０と吸込ヘッド５０の前端部５１とを結ぶ仮想線Ｖから遠ざかる向きに設けられている。
【００５３】
図４に示される例では、吸込ヘッド５０は、筒状の接続管５２を有し、接続管５２及び延長管６０を介して吸引管２０と連通するように、吸引管２０と接続されている。吸込ヘッド５０は、延長管６０から取り外し可能に構成されていてもよい。
【００５４】
図４に示される例では、延長管６０は、略直管状に構成されている。延長管６０の一端は吸引管２０に接続され、他端は吸込ヘッド５０の接続管５２に接続されている。延長管６０は、電気掃除機本体１０から取り外し可能に構成されていてもよい。
【００５５】
図４に示される例では、吸引管２０の外側面の延長線（図４における一点破線）と床面Ｇとのなす角αが４５度となっている。ここで、なす角αの大きさは、電気掃除機１ｃの標準的な使用状態として想定されている大きさである。
【００５６】
発光素子３０と吸込ヘッド５０の前端部５１とを結ぶ仮想線Ｖ（図４における一点鎖線）は、例えば、発光素子３０の発光部分を通り、吸込ヘッド５０の前端部５１と接する直線である。
【００５７】
本実施形態によれば、電気掃除機１ｃの標準的な使用状態である吸引管２０と床面Ｇとのなす角αが４５度である場合に、発光素子３０の光軸Ｌにおける出射光が、平面視で吸引管２０に沿う向きであって、側面視で発光素子３０と吸込ヘッド５０の前端部５１とを結ぶ仮想線Ｖから遠ざかる向きに設けられているので、発光素子３０からの出射光が吸引管２０及び吸込ヘッド５０に邪魔されにくい。したがって、指向性の高い発光素子３０を用いたとしても、暗い場所においても容易に使用することができる電気掃除機１ｃを提供することができる。
【００５８】
本実施形態においては、発光素子３０は、吸引管２０と床面Ｇとのなす角αが４５度である場合に、発光素子３０と吸込ヘッド５０の前端部５１とを結ぶ仮想線Ｖと発光素子３０の光軸Ｌとのなす角θが、発光素子３０の１／２照射角であるように設けられている。例えば、発光素子３０の１／２照射角が１５度である場合には、なす角θを１５度とすることが好ましい。
【００５９】
本実施形態によれば、電気掃除機１ｃの標準的な使用状態である吸引管２０と床面Ｇとのなす角αが４５度である場合に、発光素子３０と吸込ヘッド５０の前端部５１とを結ぶ仮想線Ｖと発光素子３０の光軸Ｌとのなす角αが、発光素子３０の１／２照射角であるので、発光素子３０が明るく照らせる範囲において、出射光が吸引管２０及び吸込ヘッド５０に邪魔されにくい。したがって、指向性の高い発光素子３０を用いたとしても、暗い場所においても容易に使用することができる電気掃除機１ｃを提供することができる。
【００６０】
また、本実施形態においても、第３実施形態に係る電気掃除機１ｂに関する説明と同様の理由によって、同様の効果を奏する。
【００６１】
以上、本実施形態あるいは変形例について説明したが、本発明はこれら本実施形態あるいは変形例に限られるものではなく、その要旨を逸脱しない範囲において種々の態様で実施することが可能である。
【００６２】
例えば、上述の実施形態においては、標準的な使用状態において、発光素子３０の出射光の光軸Ｌが吸引管２０の上方を通過する構成を例に説明したが、発光素子３０の出射光の光軸Ｌが吸引管２０の下方を通過する構成も可能である。また、標準的な使用状態において、発光素子３０の出射光の光軸Ｌが吸引管２０の上方を通過する構成と発光素子３０の出射光の光軸Ｌが吸引管２０の下方を通過する構成の両方を採用してもよい。これらの構成においても、上述した実施形態において説明した理由と同様の理由によって、同様の効果を奏する。
【００６３】
本発明は、実施形態で説明した構成と実質的に同一の構成（例えば、機能、方法及び結果が同一の構成、あるいは目的及び効果が同一の構成）を含む。また、本発明は、実施形態で説明した構成の本質的でない部分を置き換えた構成を含む。また、本発明は、実施形態で説明した構成と同一の作用効果を奏する構成又は同一の目的を達成することができる構成を含む。また、本発明は、実施形態で説明した構成に公知技術を付加した構成を含む。
【符号の説明】
【００６４】
１，１ａ，１ｂ，１ｃ…電気掃除機、１０…電気掃除機本体、１１…電動送風機、１２…フィルター、１３…集塵室、１４…バッテリー、１５…操作部、１６…把持部、２０…吸引管、３０…発光素子、４０…ノズル、５０…吸込ヘッド、５１…前端部、５２…接続管、６０…延長管、Ｇ…床面、Ｌ…光軸、Ｔ…外側面、Ｖ…仮想線、α…なす角、θ…なす角
【図１】
2015097665.tif 000003
【図２】
2015097665.tif 000004
【図３】
2015097665.tif 000005
【図４】
2015097665.tif 000006